(57)【要約】      （修正有）【課題】内部に設置されるコンデンサーを電流平衡素子にして、コストを節約するバックライトを提供する。【解決手段】複数のランプ２３０を具備する光源モジュール２３と、流入される電気信号を前記光源モジュールを駆動する高圧信号へ変換する制御回路２１０が設置される制御回路基板２１と、四層基板に構成され、且つ基板の内部に銅薄膜に形成され、ランプ２３０に流れる電流を平衡させる複数のコンデンサーが設置される電流平衡回路基板２２と、制御回路基板２１と電流平衡回路基板２２を電気接続させる複数の高圧線２５と、を含むバックライト２である。【選択図】図２ａ
0003143909.tif 000002
【実用新案登録請求の範囲】
【請求項１】
複数のランプを具備する光源モジュールと、
流入される電気信号を前記光源モジュールを駆動する高圧信号へ変換する制御回路が設置される制御回路基板と、
四層基板に構成され、且つ基板の内部に銅薄膜に形成され、前記ランプに流れる電流を平衡させる複数のコンデンサーが設置される電流平衡回路基板と、
前記制御回路基板と前記電流平衡回路基板を電気接続させる複数の高圧線と、を含むことを特徴とするバックライト。
【請求項２】
前記電流平衡回路基板は、前記ランプにほぼ垂直するようにランプの側に設置されることを特徴とする請求項１に記載のバックライト。
【請求項３】
前記制御回路基板に設置され、前記高圧線の一端に電気接続される第一コネクタを更に含むことを特徴とする請求項２に記載のバックライト。
【請求項４】
前記電流平衡回路基板に設置され、前記高圧線の他端に電気接続される第二コネクタを更に含むことを特徴とする請求項２に記載のバックライト。
【請求項５】
前記電流平衡回路基板が前記制御回路基板に設置されることを特徴とする請求項１に記載のバックライト。
【請求項６】
前記電流平衡回路基板が前記制御回路基板にほぼ垂直するように設置されることを特徴とする請求項５に記載のバックライト。
【請求項７】
前記電流平衡回路基板が前記制御回路基板にほぼ平行するように設置されることを特徴とする請求項５に記載のバックライト。
【請求項８】
前記制御回路基板にコネクタ回路が設置され、前記コネクタ回路は、制御回路基板と複数のランプを電気接続させる複数のコネクタを具備することを特徴とする請求項５に記載のバックライト。
【請求項９】
前記電流平衡回路基板に設置され、前記制御回路に保護信号を印加して制御回路の出力を制御する保護回路を更に含むことを特徴とする請求項１に記載のバックライト。
【請求項１０】
複数のランプを具備する光源モジュールと、
流入される電気信号を前記光源モジュールを駆動する高圧信号へ変換する制御回路が設置される制御回路基板と、
六層基板に構成され、且つ基板の内部に銅薄膜に形成され、前記ランプに流れる電流を平衡させる複数のコンデンサーが設置される電流平衡回路基板と、
前記制御回路基板と前記電流平衡回路基板を電気接続させる複数の高圧線と、を含むことを特徴とするバックライト。
【考案の詳細な説明】
【技術分野】
【０００１】
本考案は、バックライト（Ｂａｃｋｌｉｇｈｔ）に係り、特に液晶表示装置（Ｌｉｑｕｉｄ  Ｃｒｙｓｔａｌ  Ｄｉｓｐｌａｙ；ＬＣＤ）に用いるバックライトに関するものである。
【背景技術】
【０００２】
放電ランプ（Ｄｉｓｃｈａｒｇｅ  Ｌａｍｐ）、特に冷陰極蛍光ランプ（Ｃｏｌｄ  Ｃａｔｈｏｄｅ  Ｆｌｕｏｒｅｓｃｅｎｔ  Ｌａｍｐｓ；ＣＣＦＬｓ）は、液晶表示装置のバックライトの光源として広く用いられている。サイズが大きい液晶表示装置において、輝度を高めるために複数のランプを設置する。前記バックライトにおいて、各ランプの抵抗値が互いに異なるから、前記バックライトに電流平衡回路を設置して、ランプの電流を平衡させる必要がある。
【０００３】
図１ａは、従来技術に係るバックライトの平面図であり、図１ｂは、図１ａに示したバックライトをＡ方向に沿って観察する側面図である。図１ａと図１ｂに示したバックライト１は、制御回路基板１１と、第一ランプ装着基板１２と、第二ランプ装着基板１４と、複数のランプ１３と、を含む。前記制御回路基板１１には、制御回路１１０と第一コネクタ１１１が設置され、前記第一ランプ装着基板１２には、第二コネクタ１２１と複数のコンデンサー１２０が設置され、前記第二ランプ装着基板１４には、複数のコンデンサー１２０だけが設置されている。
【０００４】
前記制御回路１１０は、流入される電気信号を前記ランプ１３を駆動する高圧信号へ変換させる。前記第一コネクタ１１１と前記第二コネクタ１２１が複数の高圧線によって電気接続されるので、前記制御回路基板１１と第一ランプ装着基板１２が互いに電気接続されることができる。従って、前記制御回路基板１１の高圧信号が前記第一ランプ装着基板１２に入力されることができる。
【０００５】
前記第一ランプ装着基板１２と前記第二ランプ装着基板１４に設置されるコンデンサー１２０の数量は、前記ランプ１３の数量と同じである。前記コンデンサー１２０は、前記ランプ１３の電流を平衡させる作用を奏する。
【０００６】
従来のバックライト１に用いるコンデンサー１２０は、表面実装（Ｓｕｒｆａｃｅ  Ｍｏｕｎｔ  Ｔｅｃｈｎｏｌｏｇｙ、ＳＭＴと略称）コンデンサー、Ｄｉｐコンデンサーであるので、コンデンサーを買い上げるコストが高い欠点がある。
【０００７】
また、前記コンデンサー１２０の電圧降下と前記ランプ１３の電圧がほぼ同じであり、ランプ装着基板が二層基板であるので、隣接した２つのコンデンサー１２０の距離が小さいと、高圧の場合２つのコンデンサー１２０の間にスパークが生じる可能性がある。だから、前記複数のコンデンサー１２０を分離して２つのランプ装着基板に設置する必要がある。また、隣接した２つのランプ１３の電圧差をゼロにし、２つのランプ１３の間にスパークが生じることを防ぐために、隣接したランプ１３の位相が同じなように複数のランプ１３を順に配列する。しかし、この配列方法は、バックライト１３にムラが生じる問題をもたらすことができる。
【０００８】
また、耐電圧性と安全性のために、前記ランプ装着基板に保護基板を設置することができない。この結果、前記バックライトの安全性と安定性が悪くなる。
【考案の開示】
【考案が解決しようとする課題】
【０００９】
以上の問題点に鑑みて、本考案は、内部に設置されるコンデンサーを電流平衡素子にして、コストを節約するバックライトを提供するのを目的とする。
【課題を解決するための手段】
【００１０】
上記問題を解決するために、本考案は、複数のランプを具備する光源モジュールと、流入される電気信号を前記光源モジュールを駆動する高圧信号へ変換する制御回路が設置される制御回路基板と、四層基板に構成され、且つ基板の内部に銅薄膜に形成され、前記ランプに流れる電流を平衡させる複数のコンデンサーが設置される電流平衡回路基板と、前記制御回路基板と前記電流平衡回路基板を電気接続させる複数の高圧線と、を含むバックライトを提供する。
【００１１】
上記問題を解決するために、本考案は、複数のランプを具備する光源モジュールと、流入される電気信号を前記光源モジュールを駆動する高圧信号へ変換する制御回路が設置される制御回路基板と、六層基板に構成され、且つ基板の内部に銅薄膜に形成され、前記ランプに流れる電流を平衡させる複数のコンデンサーが設置される電流平衡回路基板と、前記制御回路基板と前記電流平衡回路基板を電気接続させる複数の高圧線と、を含むバックライトをさらに提供する。
【考案を実施するための最良の形態】
【００１２】
以下図面に基づいて、本考案の実施形態に係るバックライトに対して詳細に説明する。
【００１３】
図２ａは、本考案の第一実施形態に係るバックライト２の平面図であり、図２ｂは、図２ａに示したバックライト２をＢ方向に沿って観察する側面図である。図２ａ又は図２ｂに示したバックライト２は、制御回路基板２１と、電流平衡回路基板２２と、光源モジュール２３と、を含む。前記光源モジュール２３は、順に配置される複数のランプ２３０を含む。前記ランプ２３０は、放電ランプ（Ｄｉｓｃｈａｒｇｅ  Ｌａｍｐ）などを使用することができる。
【００１４】
前記制御回路基板２１には、制御回路２１０と第一コネクタ２１１が設置されている。前記制御回路２１０は、流入される電気信号を前記ランプ２３０を駆動する高圧信号へ変換させる。前記電流平衡回路基板２２は、前記ランプ２３０にほぼ垂直するように、ランプ２３０の側に設置されている。前記電流平衡回路基板２２には、第二コネクタ２２１と保護回路２２０が設置されている。
【００１５】
本実施形態で、前記電流平衡回路基板２２は、四層回路基板であり、且つ中間に位置した２つの基板の間に銅薄膜に形成される複数のコンデンサーが設置されている。他の実施形態で、六層回路基板に構成される電流平衡回路基板を用いてもよい。前記複数のコンデンサーの数量は、前記ランプ２３０の数量と同じである。前記コンデンサーは、対応するランプ２３０の電流を平衡させる作用を奏する。
【００１６】
前記第一コネクタ２１１は、複数の高圧線２５を介して前記第二コネクタ２２１に電気接続されている。即ち、前記高圧線２５の一端が前記第一コネクタ２１１に電気接続され、他端が前記第二コネクタ２２１に電気接続されている。従って、前記制御回路２１０の高圧信号が前記電流平衡回路基板２２に入力され、且つ前記複数のランプ２３０が駆動されて発光することができる。
【００１７】
前記複数のランプ２３０の一端は、前記電流平衡回路基板２２に電気接続され、他端は接地されている。他の実施形態で、前記ランプ２３０の他端をフィードバック回路に電気接続させることもできる。前記フィードバック回路は、前記ランプ２３０の電流に根拠して、前記制御回路２１０の出力を制御するので、このランプ２３０を保護することができる。又は、１つのランプ２３０の他端と、接近した他の１つのランプ２３０の他端を電気接続させて、Ｕ形ランプを形成することもできる。
【００１８】
前記電流平衡回路基板２２に形成されたコンデンサーは抵抗値が高い電子素子であり、このコンデンサーで分圧される電圧と前記ランプ２３０に印加される電圧がほぼ同じである。だから、前記ランプ２３０の抵抗値が変化する場合、総回路の抵抗値が変化しない。従って、前記ランプ２３０で流れる電流を平衡させることができる。また、前記コンデンサーが前記電流平衡回路基板２２の内部に形成され、高圧線路も前記電流平衡回路基板２２の内部に設置されている。だから、前記電流平衡回路基板２２のコンデンサーの間の距離が小さくても、高圧で正常に作動することができる（即ち、耐圧性がよい）。本実施形態で、電流平衡回路基板を１つ設置したが、他の実施形態で、電流平衡回路基板を２つ設置することもできる。
【００１９】
前記高圧線が前記電流平衡回路基板２２の内部に設置されているので、前記保護回路２２０を容易に設置することができる。保護回路２０を設置すると、前記バックライト２の安定性を高めることができる。また、前記バックライト２が高圧で正常に作動することができるので、隣接した２つのランプ２３０の位相（極性）が不同に配列することができる。即ち、ランプ２３０の位相を交替に配列して、バックライト２にムラを生ずることを防ぐことができる。
【００２０】
図３ａは、本考案の第二実施形態に係るバックライト３の平面図であり、図３ｂは、図３ａに示したバックライト３をＣ方向に沿って見た側面図である。図３ａと図３ｂに示したバックライト３において、電流平衡回路基板３２が制御回路基板３１にほぼ垂直するように配置され、且つこの電流平衡回路基板３２に保護回路３２０が設置されている。前記制御回路基板３１は、制御回路３１０とコネクタ回路３１１を含む。前記コネクタ回路３１１は、光源モジュール３３のランプと前記制御回路基板３１を電気接続させる複数のコネクタ３１３を含む。
【００２１】
図４ａは、本考案の第三実施形態に係るバックライト４の平面図であり、図４ｂは、図４ａに示したバックライト４をＤ方向に沿って見た側面図である。図４ａと図４ｂに示したバックライト４において、電流平衡回路基板３２’が制御回路基板３１にほぼ平行するように配置されている。
【００２２】
上述したバックライトにおいて、前記電流平衡回路基板は、四層回路基板又は六層回路基板に構成されたものである。且つ、中間に位置した２つの基板の間に銅薄膜で形成され、ランプの電流を平衡させる複数のコンデンサーが設置されている。前記コンデンサーが前記銅薄膜に形成されたので、コストを節約することができる。且つ、前記コンデンサーが前記電流平衡回路基板の内部に設置されているので、高圧で正常に作動し、保護回路を容易に設置することができる。従って、総回路を保護し、安定性を高めることができる。且つ、前記ランプの位相を交替に配列して、バックライトにムラを生ずることを防ぐことができる。
【図面の簡単な説明】
【００２３】
【図１ａ】従来技術に係るバックライトの平面図である。
【図１ｂ】図１ａに示したバックライトをＡ方向に沿って見た側面図である。
【図２ａ】本考案の第一実施形態に係るバックライトの平面図である。
【図２ｂ】図２ａに示したバックライトをＢ方向に沿って見た側面図である。
【図３ａ】本考案の第二実施形態に係るバックライトの平面図である。
【図３ｂ】図３ａに示したバックライトをＣ方向に沿って見た側面図である。
【図４ａ】本考案の第三実施形態に係るバックライトの平面図である。
【図４ｂ】図４ａに示したバックライト４をＤ方向に沿って見た側面図である。
【符号の説明】
【００２４】
２  バックライト
３  バックライト
２１  制御回路基板
３１  制御回路基板
２１０  制御回路
３１０  制御回路
３１１  コネクタ回路
２２  電流平衡回路基板
３２  電流平衡回路基板
３２’電流平衡回路基板
２２０  保護回路
３２０  保護回路
３２０’保護回路
２１１  コネクタ
２２１  コネクタ
３１３  コネクタ
２３  光源モジュール
３３  光源モジュール
２３０  ランプ
３３０  ランプ
２５  高圧線
【図１ａ】
0003143909.tif 000003
【図１ｂ】
0003143909.tif 000004
【図２ａ】
0003143909.tif 000005
【図２ｂ】
0003143909.tif 000006
【図３ａ】
0003143909.tif 000007
【図３ｂ】
0003143909.tif 000008
【図４ａ】
0003143909.tif 000009
【図４ｂ】
0003143909.tif 000010